【手続補正書】
【提出日】平成19年12月5日(2007.12.5)
【手続補正１】
【補正対象書類名】明細書
【補正対象項目名】特許請求の範囲
【補正方法】変更
【補正の内容】
【特許請求の範囲】
【請求項１】  片方に工作機械に嵌入されるシャンク部（１１）を形成し、他方に工具（３１）のシャンク（３４）を焼嵌めにて掴持するチャック部（１３）を形成した工具ホルダー（１０）において、工具（３１）のシャンク（３４）と前記チャック部（１３）との間にコレット作用をなす円筒状のスリーブ（２０）を介挿させてなることを特徴とする焼嵌め式工具ホルダー。
【請求項２】  上記スリーブ（２０）の材質は、工具ホルダー（１０）のチャック部（１３）の材質の熱膨張率より小さいものを採用してなる請求項１に記載の焼嵌め式工具ホルダー。
【請求項３】  上記スリーブ（２０）の先端に鍔（２１）を形成し、その鍔（２１）を前記チャック部（１３）の先端面に当接してなることを特徴とする請求項１又は２に記載の焼嵌め式工具ホルダー。
【請求項４】  上記鍔（２１）に、工具（３１）の振れ調整用ボルトがねじ込まれて前記チャック部（１３）の先端面を押すねじ孔（２３）を設けてなることを特徴とする請求項３に記載の焼嵌め式工具ホルダー。
【請求項５】  上記スリーブ（２０）は、その軸方向の溝（２２）が設けられて、上記鍔（２１）にもスリーブ（２０）径方向の溝（２２’）が設けられていることを特徴とする請求項１乃至４の何れかに記載の焼嵌め式工具ホルダー。
【請求項６】  請求項１乃至５の何れかに記載の焼嵌め式工具ホルダーにおいて、上記工具（３１）のシャンク（３４）と上記チャック部（１３）との間にスリーブ（２０）を介挿させて前記工具（３１）を前記チャック部（１３）に焼嵌めにて掴持する際に使用する前記チャック部（１３）への工具（３１）の挿入長を設定する工具挿入長設定治具であって、
片端に工具（３１）のシャンク（３４）を把持する把持部（３３）を付設した筒状の本体（３５ａ）と、上記筒状の本体（３５ａ）内の端面に位置するアンビル（３２）とからなり、上記把持部（３３）に工具（３１）のシャンク（３４）を把持し、上記アンビル（３２）に工具（３１）の刃先を当接させることにより工具（３１）の挿入長を設定する工具挿入長設定治具。
【請求項７】  上記筒状の本体（３５ａ）内に嵌入するプラグ（３６）の先端面を上記アンビル（３２）としたことを特徴とする請求項６に記載の工具挿入長設定治具。
【請求項８】  上記筒状の本体（３５ａ）の他方の内面に螺合したねじ軸（３９）の先端面を上記アンビル（３２）としたことを特徴とする請求項６に記載の工具挿入長設定治具。
【手続補正２】
【補正対象書類名】明細書
【補正対象項目名】０００４
【補正方法】変更
【補正の内容】
【０００４】
そこで、加熱温度を高くすれば熱膨張が大きくなって締め代を大きくすることができるが、あまり高い温度に加熱すると焼きもどしが生じ、工具（刃）の硬度が低下し、工具およびホルダーの耐久性が低下するので加熱温度に限界がある。
【手続補正３】
【補正対象書類名】明細書
【補正対象項目名】００１３
【補正方法】変更
【補正の内容】
【００１３】
第四の課題「工具の挿入長を簡易に設定」
焼嵌め方式における工具の着脱について出願人は特願平９−２４３８５１号（特開平１１−７７４４３号）で「焼嵌め装置で使用される刃物挿入規制具」を提案している。この提案の内容は、工具のシャンクにスプリングクリップのアームを摘んで拡径して工具のシャンクに嵌め、ノギス等を用いて挿入長に相当する位置にセットして図５（ｂ）、図６に示すように焼嵌め装置に取り付け、加熱されたホルダーのチャック部に挿入するようにしたものである。
【手続補正４】
【補正対象書類名】明細書
【補正対象項目名】００１６
【補正方法】変更
【補正の内容】
【００１６】
【課題を解決するための手段】
上記課題を解決するためにこの発明は、片方に工作機械に嵌入されるシャンク部を形成し、他方に工具のシャンクを焼嵌めにて掴持するチャック部を形成した工具ホルダーにおいて、工具のシャンクと前記チャック部との間に円筒状のスリーブを介挿させてなる構成を採用したのである。
上記スリーブにはスリット（溝）と鍔を形成したり、上記スリーブ材質は、工具ホルダーのチャック部の熱膨張率より小さいものとしたり、上記鍔の端面にねじ孔を設けたりできる。
必要に応じ片端に工具のシャンクを把持する把持部を付設した筒状の本体と、上記筒状の本体内に嵌入するプラグとからなる構成をしたもの、または、片端に工具のシャンクを把持する把持部を付設し、他方の内面に雌ねじを形成した筒状の本体と、上記筒状の本体の雌ねじに螺合する雄ねじを形成したねじ軸を螺合してなる構成の工具挿入長設定治具を付加したものである。
【手続補正５】
【補正対象書類名】明細書
【補正対象項目名】００１９
【補正方法】変更
【補正の内容】
【００１９】
上記スリーブ２０の先端に鍔２１が形成され、この鍔２１にスリーブ軸に平行なネジ孔２３が設けられている。スリーブ２０の周囲に図３（ｂ）〜（ｄ）のように等間隔にスリーブ軸に平行で両端に至らないスリット（溝）２２が設けられているとともに、鍔２１にもスリーブ２０径方向のスリット２２’が設けられている。図３（ｃ）のものでは、スリーブ軸に平行なスリット２２と同径方向のスリット２２’が連続しているため、スリット（溝）がスリーブ軸全長に亘って貫通したものとなっている。
【手続補正６】
【補正対象書類名】明細書
【補正対象項目名】００２１
【補正方法】変更
【補正の内容】
【００２１】
上記ホルダー１０に工具３１（図４参照）を掴持させるには、先ず、挿入長設定治具３０（以下、治具という）のアンビル３２を所望の位置に設定し、この治具３０の把持部３３に工具３１を押し込んで工具３１の尖端を上記アンビル３２に当接させ工具３１のシャンク３４を上記把持部３３で把持する（図４（ｄ）参照）。
【手続補正７】
【補正対象書類名】明細書
【補正対象項目名】００２２
【補正方法】変更
【補正の内容】
【００２２】
一方、図５（ｂ）に示した焼嵌め装置４０に、同図（ａ）に示すように、ホルダー１０をセットしてチャック部１３を設定温度まで加熱し、該チャック部１３に工具３１のシャンク３４をスリーブ２０と共に鍔２１がホルダー１０の端面に当接するまで挿入し、加熱を停止して冷却し焼嵌めは完了する。
【手続補正８】
【補正対象書類名】明細書
【補正対象項目名】００２４
【補正方法】変更
【補正の内容】
【００２４】
また、スリーブ２０の内径と工具３１のシャンク３４の外径との寸法差が０となったとき、あるいは、工具３１の外径がスリーブの内径より大きくなったときでも、スリット２２を介したスリーブ２０の拡径によって差込むことができるので工具３１をスリーブ２０に差込む作業が容易になり、また、スリーブ２０の片端に鍔２１が設けられることによりスリーブ２０と共にホルダー１０のチャック部１３に差し込まれる工具３１の位置決めが確実となる。
【手続補正９】
【補正対象書類名】明細書
【補正対象項目名】００２５
【補正方法】変更
【補正の内容】
【００２５】
上記挿入長設定治具３０は、図４（ａ）に示すように片端に工具３１の把持部３３を付設した筒状の本体３５aと、上記本体３５ａの内部に嵌入するプラグ３６とからなるものと、図４（ｂ）に示すように片端に工具３１の把持部３３を付設し、内部に雌ねじ３７を設けた筒状の本体３５bと、上記本体３５bの雌ねじ３７に螺合する雄ねじ３８を形成したねじ軸３９とからなるものとがあり、上記把持部３３は断面Ｃ型をしており（図４（ｃ）参照）、その弾性を利用して工具３１を把持するようになっている。また、上記プラグ３６とねじ軸３９の端面（アンビル）は軸に対して直角な平面に仕上げられている。
【手続補正１０】
【補正対象書類名】明細書
【補正対象項目名】００２６
【補正方法】変更
【補正の内容】
【００２６】
また、図４（ａ）の場合は、プラグ３６の段部３６aを本体３５aの端面に当接させた状態で挿入長が設定され、図４（ｂ）の場合は、ねじ軸３９のねじ込み量で挿入長が設定される（図４（ｄ）参照）。従って、上記雄ねじ、雌ねじでもってマイクロメーターを構成するようにすると挿入長の設定が容易になる。
【手続補正１１】
【補正対象書類名】明細書
【補正対象項目名】００２８
【補正方法】変更
【補正の内容】
【００２８】
工具３１をホルダー１０から外すときは、工具３１のシャンク３４に挿入長設定治具３０（図４（ｄ）参照）を被嵌し、該挿入長設定治具３０の把持部３３の端面がスリーブ２０の端面から数ミリになるようにセットし、その状態のホルダー１０を上記焼嵌め装置４０に装着し加熱を開始する。
【手続補正１２】
【補正対象書類名】明細書
【補正対象項目名】００３０
【補正方法】変更
【補正の内容】
【００３０】
焼嵌め後の工具に振れが生じているときは、ホルダー１０を機械、またはツールセッティングゲージ等の測定器に装着し、振れ測定用ダイヤルゲージ（図示せず）により振れを見ながらスリーブ２０の鍔２１の端面に設けたねじ孔２３にボルト（図示せず）をねじ込みホルダー１０の端面（チェック部１３の先端面）を押すことにより修正する。
【手続補正１３】
【補正対象書類名】明細書
【補正対象項目名】図面の簡単な説明
【補正方法】変更
【補正の内容】
【図面の簡単な説明】
【図１】この発明に係る工具ホルダーの断面図
【図２】同ホルダーの断面図
【図３】この発明に係るスリーブの正面図と底面図で（ａ）はその１、（ｂ）はその２、（ｃ）はその３、（ｄ）はその４
【図４】この発明に係る工具挿入長設定治具で（ａ）はその１、（ｂ）はその２、（ｃ）はその要部斜視図、（ｄ）は工具のセット状態図
【図５】焼嵌め装置の説明図であり、（ａ）はこの発明に係る工具ホルダーの場合、（ｂ）は従来の工具ホルダーの場合
【図６】工具にクリップを取付けた状態図
【手続補正１４】
【補正対象書類名】図面
【補正対象項目名】図１
【補正方法】変更
【補正の内容】
【図１】
2002283162.tif 000001
【手続補正１５】
【補正対象書類名】図面
【補正対象項目名】図２
【補正方法】変更
【補正の内容】
【図２】
2002283162.tif 000002
【手続補正１６】
【補正対象書類名】図面
【補正対象項目名】図３
【補正方法】変更
【補正の内容】
【図３】
2002283162.tif 000003
【手続補正１７】
【補正対象書類名】図面
【補正対象項目名】図４
【補正方法】変更
【補正の内容】
【図４】
2002283162.tif 000004
【手続補正１８】
【補正対象書類名】図面
【補正対象項目名】図５
【補正方法】変更
【補正の内容】
【図５】
2002283162.tif 000005